(57)【要約】【課題】本発明は、ＬＥＤ灯と併用することで夜間はＬＥＤ灯点灯時の光を反射、透光、あるいは蓄光し、日中は太陽の光を反射、透光、あるいは蓄光する光の装飾具及びこの光の装飾具を利用しての装飾方法を提供することを目的とするものである。【解決手段】巻着可能な線状の主幹体部２と、この主幹体部２に分岐状に接続され、かつ、変形された姿勢を保持可能な線状の従幹体部３と、この従幹体部３に接続され、平面形状とされ、かつ少なくとも一面が反射面５、透光面１６、あるいは蓄光面６を有する装飾体４を備える。【選択図】図１
2015174422.tif 000002
【特許請求の範囲】
【請求項１】
巻着可能な線状の主幹体部と、
該主幹体部に分岐状に接続され、かつ、変形された姿勢を保持可能な線状の従幹体部と、
該従幹体部に接続され、平面形状とされ、かつ少なくとも一面が反射面、透光面、あるいは蓄光面を有する装飾体を備える
光の装飾具。
【請求項２】
前記主幹体部及び前記従幹体部は、塑性変形が可能な金属製である
請求項１に記載の光の装飾具。
【請求項３】
前記主幹体部は、切断可能である
請求項１または請求項２に記載の光の装飾具。
【請求項４】
前記従幹体部は、所定の力を受けて揺動可能である
請求項１、請求項２または請求項３に記載の光の装飾具。
【請求項５】
前記装飾体に取付けられた、第１の部材と、該第１の部材に開閉自在に配置され、かつ、少なくとも一部が弾性体の付勢力で同第１の部材と接触可能とされた第２の部材とを有するクリップ部を備える
請求項１、請求項２、請求項３または請求項４に記載の光の装飾具。
【請求項６】
前記クリップ部は、前記装飾体に着脱可能とされた
請求項５に記載の光の装飾具。
【請求項７】
前記装飾体は、反射面及び蓄光面を有する
請求項１、請求項２、請求項３、請求項４、請求項５または請求項６に記載の光の装飾具。
【請求項８】
前記装飾体は、葉形状とされた
請求項１、請求項２、請求項３、請求項４、請求項５、請求項６または請求項７に記載の光の装飾具。
【請求項９】
線状の導電部材と、
該導電部材に適宜間隔ごとに接続された発光体と、
前記導電部材に前記発光体と対向する位置に分岐状に取付けられ、かつ、変形された姿勢を保持可能な線状の従幹体部と、
該従幹体部に接続され、平面形状とされ、かつ少なくとも一面が反射面、透光面、あるいは蓄光面を有する装飾体を備える
光の装飾具。
【請求項１０】
無数の発光体が取付けられた被装飾体に、巻着可能な線状の主幹体部を巻付ける工程と、
前記主幹体部に接続され、かつ、変形された姿勢を保持可能な線状の従幹体部を、前記発光体の配置方向となる姿勢に変形する工程と、
前記従幹体部に接続され、平面形状とされ、かつ少なくとも一面が反射面、透光面、あるいは蓄光面を有する装飾体の同反射面、同透光面、あるいは同蓄光面を前記発光体に向き合うように配置する工程とを備える
装飾方法。
【請求項１１】
被装飾体に、無数の発光体を取付ける工程と、
被装飾体に、巻着可能な線状の主幹体部を巻付ける工程と、
前記主幹体部に接続され、かつ、変形された姿勢を保持可能な線状の従幹体部を、前記発光体の配置方向となる姿勢に変形する工程と、
前記従幹体部に接続され、平面形状とされ、かつ少なくとも一面が反射面、透光面、あるいは蓄光面を有する装飾体の同反射面、同透光面、あるいは同蓄光面を前記発光体に向き合うように配置する工程とを備える
装飾方法。
【請求項１２】
被装飾体に、発光体が適宜間隔ごとに接続された線状の導電部材を取付ける工程と、
前記導電部材に前記発光体と対向する位置に分岐状に取付けられ、かつ、変形された姿勢を保持可能な線状の従幹体部を、前記発光体の配置方向となる姿勢に変形する工程と、
前記従幹体部に接続され、平面形状とされ、かつ少なくとも一面が反射面、透光面、あるいは蓄光面を有する装飾体の同反射面、同透光面、あるいは同蓄光面を前記発光体に向き合うように配置する工程とを備える
装飾方法。
【発明の詳細な説明】
【技術分野】
【０００１】
本発明は、光の装飾具及び装飾方法に関する。詳しくは、例えば街路樹に取付けられる光の装飾具及び街路樹の装飾方法に係るものである。
【背景技術】
【０００２】
一般に、クリスマスシーズンになると落葉した街路樹の枝に、例えば発光体として無数のＬＥＤ灯が取付けられて光の演出が行われている。
【０００３】
ここで、ＬＥＤ灯によるイルミネーションとして、例えば、特許文献１に記載されたものがある。具体的には、図１１に示すように、互いに並列に接続された複数のＬＥＤ光源１０１、１０２からなる光源対が、電力供給線１０３に間隔をおいて複数直列に接続され、電力供給線１０３に抵抗回路１０４が接続されている。
【０００４】
このようなＬＥＤ灯によるイルミネーションを、図１２に示すように、樹木１０５の幹部１０６に沿って電力供給線１０３を結束バンド１０７等で取付けてＬＥＤ灯１０８による電飾を行うものである。
【先行技術文献】
【特許文献】
【０００５】
【特許文献１】実用新案登録第３１８６４１６号公報
【発明の概要】
【発明が解決しようとする課題】
【０００６】
しかしながら、上記した特許文献１のＬＥＤ灯によるイルミネーションの効果は、夜間のＬＥＤ灯の点灯時のみ得られるものであるが、ＬＥＤ灯の非点灯時である日中の集客力向上には全く役に立たないのが現状である。
【０００７】
また、ＬＥＤ灯の消費電力が従来の電球等の発光体に比して著しく少ないとはいえ、街路樹のように大量のＬＥＤ灯を必要とする場合には、看過できないコストとならざるを得ないことになる。
【０００８】
本発明は、以上の点に鑑みて創案されたものであって、外部からの光を装飾面で反射、透光、あるいは蓄光することで昼夜を通して光による演出を実現可能とした光の装飾具及びこの光の装飾具を利用しての装飾方法を提供することを目的とするものである。
【課題を解決するための手段】
【０００９】
上記の目的を達成するために、本発明に係る光の装飾具は、巻着可能な線状の主幹体部と、該主幹体部に分岐状に接続され、かつ、変形された姿勢を保持可能な線状の従幹体部と、該従幹体部に接続され、平面形状とされ、かつ少なくとも一面が反射面、透光面、あるいは蓄光面を有する装飾体を備える。
【００１０】
ここで、巻着可能な線状の主幹体部によって、被装飾体への固定が可能となる。
例えば、街路樹等の幹に沿って主幹体部を巻付けながら枝の先端まで取付けることが可能となる。
【００１１】
また、主幹体部に分岐状に接続され、かつ、変形された姿勢を保持可能な線状の従幹体部によって、従幹体部の角度や位置を自在に調整することが可能となる。
【００１２】
また、従幹体部に接続され、平面形状とされ、かつ少なくとも一面が反射面、透光面、あるいは蓄光面を有する装飾体によって、外部からの光を反射させる、外部からの光を透過させる、あるいは外部からの光を蓄光させることが可能となる。
【００１３】
また、本発明に係る光の装飾具において、主幹体部及び従幹体部が、塑性変形が可能な金属製である場合には、容易に変形させると共にその姿勢を保持することが可能となる。
【００１４】
また、本発明に係る光の装飾具において、主幹体部が、切断可能である場合には、適切な長さに切断することが可能となる。
例えば、ＬＥＤ灯によるイルミネーションのように主幹体部が導電材を内包せず、被装飾体に対して容易に適切な長さに切断することが可能となる。
【００１５】
また、本発明に係る光の装飾具において、従幹体部が、所定の力を受けて揺動可能である場合には、従幹体部に対して外的な力が作用したときに従幹体部が揺動可能となる。
これにより、従幹体部に接続される装飾体が風力抵抗を受けやすい形状とすることで物理的、かつ自然な揺れを生じさせることが可能となり、装飾体の揺れと共に光を揺らすことが可能となる。
【００１６】
また、本発明に係る光の装飾具において、装飾体に取付けられた、第１の部材と、第１の部材に開閉自在に配置され、かつ、少なくとも一部が弾性体の付勢力で第１の部材と接触可能とされた第２の部材とを有するクリップ部を備える場合には、線状体を第１の部材と第２の部材で挟むことで装飾体を線状体に固定することが可能となる。
例えば、街路樹等の枝の先端側をクリップ部で挟むことで装飾体を葉のようにして枝に固定することができる。
【００１７】
また、本発明に係る光の装飾具において、クリップ部が、装飾体に着脱可能とされた場合には、装飾体を線状体に固定する、あるいは装飾体を任意位置に配置することが可能となる。
例えば、クリップ部を取付けた場合には、装飾体を必要に応じて街路樹等の枝に固定することができる。
【００１８】
また、本発明に係る光の装飾具において、装飾体が、反射面及び蓄光面を有する場合には、外部からの光を反射面で反射することが可能となる。更に、外部からの光を蓄光面で受光することが可能となる。
例えば、夜間において外部からの光を反射面で反射、あるいは蓄光面で受光しながら発光することで幻想的なイルミネーション効果を発揮することが可能となる。
【００１９】
また、本発明に係る光の装飾具において、装飾体が、葉形状とされた場合には、装飾体を種々の葉に摸することが可能となる。
例えば、落葉した枝に取付けることで、夜間のみならず昼間の美観を向上させることが可能となる。
【００２０】
また、上記の目的を達成するために、本発明に係る光の装飾具は、線状の導電部材と、該導電部材に適宜間隔ごとに接続された発光体と、前記導電部材に前記発光体と対向する位置に分岐状に取付けられ、かつ、変形された姿勢を保持可能な線状の従幹体部と、該従幹体部に接続され、平面形状とされ、かつ少なくとも一面が反射面、透光面、あるいは蓄光面を有する装飾体を備える。
【００２１】
ここで、線状の導電部材によって、任意の箇所に電力を供給することが可能となる。
例えば、街路樹等に光の装飾具を取付ける場合には、街路樹の幹に沿って導電部材を枝の先端まで配線することが可能となる。
【００２２】
また、導電部材に適宜間隔ごとに接続された発光体によって、導電部材に沿って発光体を発光することが可能となる。
【００２３】
例えば、発光体としてＬＥＤ灯を用いた場合には、導電部材にそって適宜間隔ごとにＬＥＤ灯を点灯させる、あるいは点滅させることが可能となる。
【００２４】
また、導電部材に発光体と対向する位置に分岐状に取付けられ、かつ、変形された姿勢を保持可能な線状の従幹体部によって、従幹体部の角度や位置を自在に調整することが可能となる。
【００２５】
また、従幹体部に接続され、平面形状とされ、かつ少なくとも一面が反射面、透光面、あるいは蓄光面を有する装飾体によって、外部からの光を反射させる、外部からの光を透過させる、あるいは外部からの光を蓄光させることが可能となる。
【００２６】
また、上記の目的を達成するために、本発明に係る装飾方法は、無数の発光体が取付けられた被装飾体に、巻着可能な線状の主幹体部を巻付ける工程と、前記主幹体部に接続され、かつ、変形された姿勢を保持可能な線状の従幹体部を、前記発光体の配置方向となる姿勢に変形する工程と、前記従幹体部に接続され、平面形状とされ、かつ少なくとも一面が反射面、透光面、あるいは蓄光面を有する装飾体の同反射面、同透光面、あるいは同蓄光面を前記発光体に向き合うように配置する工程とを備える。
【００２７】
ここで、無数の発光体が取付けられた被装飾体に、巻着可能な線状の主幹体部を巻付けることによって、容易に被装飾体への固定が可能となる。
例えば、街路樹等の幹に沿って主幹体部を巻付けながら枝の先端まで取付けることができる。
【００２８】
また、主幹体部に接続され、かつ、変形された姿勢を保持可能な線状の従幹体部を、発光体の配置方向となる姿勢に変形することによって、主幹体部に対して発光体の配置方向への姿勢を保持することが可能となる。
【００２９】
また、従幹体部に接続され、平面形状とされ、かつ少なくとも一面が反射面、透光面、あるいは蓄光面を有する装飾体の反射面、透光面、あるいは蓄光面を発光体に向き合うように配置することによって、発光体からの光を反射させる、発光体からの光を透過させる、あるいは発光体からの光を蓄光させることが可能となる。
【００３０】
また、上記の目的を達成するために、本発明に係る装飾方法は、被装飾体に、無数の発光体を取付ける工程と、被装飾体に、巻着可能な線状の主幹体部を巻付ける工程と、前記主幹体部に接続され、かつ、変形された姿勢を保持可能な線状の従幹体部を、前記発光体の配置方向となる姿勢に変形する工程と、前記従幹体部に接続され、平面形状とされ、かつ少なくとも一面が反射面、透光面、あるいは蓄光面を有する装飾体の同反射面、同透光面、あるいは同蓄光面を前記発光体に向き合うように配置する工程とを備える。
【００３１】
ここで、被装飾体に、無数の発光体を取付けることによって、被装飾体を発光体で電飾することが可能となる。
【００３２】
また、被装飾体に、巻着可能な線状の主幹体部を巻付けることによって、無数の発光体が取付けられた被装飾体への主幹体部の固定が容易に行うことが可能となる。
例えば、街路樹等の幹に沿って主幹体部を巻付けながら枝の先端まで取付けることができる。
【００３３】
また、主幹体部に接続され、かつ、変形された姿勢を保持可能な線状の従幹体部を、発光体の配置方向となる姿勢に変形することによって、主幹体部に対して発光体の配置方向への姿勢を保持することが可能となる。
【００３４】
また、従幹体部に接続され、平面形状とされ、かつ少なくとも一面が反射面、透光面、あるいは蓄光面を有する装飾体の反射面、透光面、あるいは蓄光面を発光体に向き合うように配置することによって、発光体からの光を反射させる、発光体からの光を透過させる、あるいは発光体からの光を蓄光させることが可能となる。
【００３５】
また、上記の目的を達成するために、本発明に係る装飾方法は、被装飾体に、発光体が適宜間隔ごとに接続された線状の導電部材を取付ける工程と、前記導電部材に前記発光体と対向する位置に分岐状に取付けられ、かつ、変形された姿勢を保持可能な線状の従幹体部を、前記発光体の配置方向となる姿勢に変形する工程と、前記従幹体部に接続され、平面形状とされ、かつ少なくとも一面が反射面、透光面、あるいは蓄光面を有する装飾体の同反射面、同透光面、あるいは同蓄光面を前記発光体に向き合うように配置する工程とを備える。
【００３６】
ここで、被装飾体に、発光体が適宜間隔ごとに接続された線状の導電部材を取付けることによって、導電部材に沿って発光体を発光することが可能となる。
【００３７】
例えば、発光体としてＬＥＤ灯を用いた場合には、導電部材にそって適宜間隔ごとにＬＥＤ灯を点灯させる、あるいは点滅させることが可能となる。
【００３８】
また、導電部材に発光体と対向する位置に分岐状に取付けられ、かつ、変形された姿勢を保持可能な線状の従幹体部を、発光体の配置方向となる姿勢に変形することによって、導電部材に対して発光体の配置方向への姿勢を保持することが可能となる。
【００３９】
また、従幹体部に接続され、平面形状とされ、かつ少なくとも一面が反射面、透光面、あるいは蓄光面を有する装飾体の反射面、透光面、あるいは蓄光面を発光体に向き合うように配置することによって、発光体からの光を反射させる、発光体からの光を透過させる、あるいは発光体からの光を蓄光させることが可能となる。
【発明の効果】
【００４０】
本発明の光の装飾具によれば、外部からの光を装飾面で反射させる、外部からの光を透過させる、あるいは外部からの光を蓄光させることで昼夜を通して光による演出を可能とするものである。
また、本発明の装飾方法によれば、被装飾体に発光体と併用することで昼夜を通して光による演出を可能とするものである。
【図面の簡単な説明】
【００４１】
【図１】本発明を適用した光の装飾具の一例を説明するための模式図である。
【図２】本発明を適用した光の装飾具における装飾体の一例を説明するための模式図である。
【図３】本発明を適用した光の装飾具の使用例を説明するための模式図である。
【図４】本発明を適用した光の装飾具の他の例を説明するための模式図である。
【図５】本発明を適用した光の装飾具における装飾体の他の例を説明するための平面模式図（Ａ）及び、本発明を適用した光の装飾具における装飾体の他の例を説明するための断面模式図（Ｂ）である。
【図６】本発明を適用した光の装飾具における装飾体の係止手段の一例を説明するための平面模式図（Ａ）及び、本発明を適用した光の装飾具における装飾体の係止手段の一例を説明するための側面模式図（Ｂ）である。
【図７】本発明を適用した光の装飾具における装飾体の係止手段による使用例を説明するための模式図である。
【図８】本発明を適用した光の装飾具の更に他の例を説明するための模式図である。
【図９】本発明を適用した光の装飾具を使用しての街路樹の装飾方法の一例を説明するための模式図である。
【図１０】本発明を適用した光の装飾具を使用しての街路樹の装飾方法の他の例を説明するための模式図である。
【図１１】従体のＬＥＤ灯のイルミネーション装置の一例を説明するための模式図である。
【図１２】街路樹にＬＥＤ灯のイルミネーション装置を取付けた状態の一例を説明するための模式図である。
【発明を実施するための形態】
【００４２】
以下、本発明の実施の形態を図面を参酌しながら詳述する。
【００４３】
＜第１の実施の形態＞
図１は本発明を適用した光の装飾具の一例を説明するための模式図、図２は本発明を適用した光の装飾具における装飾体の一例を説明するための模式図である。
【００４４】
ここで示す光の装飾具１は、主幹体部２と、この主幹体部２に沿って所定間隔ごとに分岐状に接続された従幹体部３と、この従幹体部３の先端に接続される葉形状の装飾体４とから構成されている。
【００４５】
ここで、主幹体部２は、塑性変形を有する針金等の金属製で形成されることで、例えば冬期の街路樹（図示せず。）の幹、あるいは枝に巻付けながら取付けることが可能となる。
更に、主幹体部２は、ニッパー等の切断工具で容易に切断できる構成とされている。
これにより、被装飾体に応じて主幹体部を適切な長さに切断することができるために、装飾具の取付け作業の効率化を図ることが可能となる。
【００４６】
また、従幹体部３は、主幹体部２と同様に塑性変形を有する針金等の金属製で形成されることで任意の方向へ変形させて、その姿勢を保持することが可能となる。
【００４７】
また、装飾体４は、例えば、その表面が鏡面状とされるステンレス製板、あるいはアルミニウム製板から形成されることで、その表面が光反射可能な反射面５が形成された構成とされている。
【００４８】
これにより、例えば、ＬＥＤ灯からの光、あるいは太陽光が反射することで反射面５が擬似発光することになる。
【００４９】
以上の構成よりなる本発明の光の装飾具１では、図３に示すように、例えば、樹木の幹枝Ａに主幹体部２を巻付けるようにして取り付けた後、余分な長さの主幹体部２はニッパー等の切断工具で切断する。
これにより、光の装飾具１は、結束具を使わずに容易に取付けることが可能となる。
【００５０】
また、従幹体部３を任意方向に変形させることで装飾体４の角度や位置を調整し、その姿勢を保持することが可能となる。
【００５１】
本発明を適用した光の装飾具では、例えば、商業施設や駅周辺などの繁華街などの街路樹に取付けることで、日中では装飾体の反射面に太陽光が反射することでイルミネーション効果を実現することが可能となる。
【００５２】
また、例えば、ＬＥＤ灯によるイルミネーションが取付けられた街路樹に、本発明の光の装飾具を取付け、装飾体がＬＥＤ灯に対面する位置となるように従幹体部を変形させることが可能となる。
【００５３】
これにより、ＬＥＤ灯からの光が反射面で反射することで反射面が擬似発光することになり、夜間のＬＥＤ灯によるイルミネーション効果を増大させることが可能となる。その結果、ＬＥＤ灯の使用量を大幅に減少させることができる。
【００５４】
＜第１の実施の他の形態＞
図４は本発明を適用した光の装飾具の他の例を説明するための模式図である。
【００５５】
ここで示す光の装飾具１Ａは、人工の蔦をイメージした主幹体部２Ａと、この主幹体部２Ａに沿って所定間隔ごとに従幹体部３Ａと一体的に形成された装飾体４Ａが配置された構成とされている。
【００５６】
ここで、主幹体部２Ａは、塑性変形を有する針金等の金属製で形成されることで、例えば構造物上の柱等に巻付けながら取付けることが可能となる。
【００５７】
また、従幹体部３Ａと装飾体４Ａは、その表面が鏡面状とされるステンレス板、あるいはアルミニウム製板の打ち抜きにより一体的に形成され、その表面が光反射可能な反射面５が形成された構成とされている。
【００５８】
本発明の光の装飾具１Ａでは、主幹体部２Ａを街路樹に使用しない商業施設などの建造物に取付けることで建造物上のエクステリアとして活用することが可能となる。
【００５９】
＜第１の実施の形態における装飾体の変形例＞
図５は本発明を適用した光の装飾具における装飾体の他の例を説明するための平面模式図（Ａ）及び、本発明を適用した光の装飾具における装飾体の他の例を説明するための断面模式図（Ｂ）である。
【００６０】
ここで示す装飾体４Ｂは、例えば、その表面が鏡面状とされるステンレス製板、あるいはアルミニウム製板から形成されることで、その一面が光反射可能な反射面５が形成され、他の面に蛍光塗料が塗布された蓄光面６が形成された構成とされている。
【００６１】
本発明の光の装飾具における装飾体４Ｂでは、例えば、夜間において外部からの光を蓄光面６で受光しながら発光することで幻想的なイルミネーション効果を発揮することが可能となる。
【００６２】
＜第１の実施の形態における装飾体の他の変形例＞
ここで、前記図２において詳述するように、装飾体４Ｄは、例えば、和紙やセルロイドのような光を透過することができる素材から形成されることで、外部の光が透過可能な透光面１６が形成された構成とされている。
【００６３】
これにより、日中では太陽光が装飾体４Ｄを透過することで自然界の葉っぱに摸した光の演出が可能となる。
また、夜間では、例えばＬＥＤ灯により光が装飾体４Ｄを透過することで光の反射とは違った人工的な光の演出が可能となる。
【００６４】
＜第２の実施の形態＞
図６は本発明を適用した光の装飾具における装飾体の係止手段の一例を説明するための平面模式図（Ａ）及び、本発明を適用した光の装飾具における装飾体の係止手段の一例を説明するための側面模式図（Ｂ）である。
【００６５】
ここで示す光の装飾具１Ｂは、前記図１で詳述したように、主幹体部２と、この主幹体部２に沿って所定間隔ごとに分岐状に接続された従幹体部３と、この従幹体部３の先端に接続される葉形状の装飾体４とから構成されている。
【００６６】
ここで、装飾体４は、例えば、その表面が鏡面状とされるステンレス製板、あるいはアルミニウム製板から形成されることで、その表面が光反射可能な反射面５が形成された構成とされている（図６（Ａ）、（Ｂ）参照）。
【００６７】
更に、装飾体４の一の面の略中央に、クリップ部７が設けられている（図６（Ａ）参照）。
【００６８】
このクリップ部７は、第１の部材８及び第２の部材９の略中央に突設配置された連結部１０、１０が連結枢支されている。更に、第１の部材８及び第２の部材９間に取付けられたバネ等の弾性体１１の付勢力で第１の部材８と第２の部材９の先端の内側面が互いに圧接される構成とされている（図６（Ｂ）参照）。
【００６９】
このような構成とすることで、第２の部材９の基端側を弾性体１１の付勢力に抗しながら押し下げることで第１の部材８と第２の部材９の先端が開いた状態となり、枝等を挟んで装飾体４を固定することが可能となる。
【００７０】
なお、＜第２の実施の形態＞におけるクリップ部は、装飾体に固定した構成を詳述するものであるが、必ずしも装飾体に固定する必要性はなく、着脱自在な構成であっても構わない。
【００７１】
例えば、クリップ部を着脱自在な構成とした場合には、装飾体が枝の先端部に固定できない状況では、クリップ部を取外して従幹体部で装飾体を風鈴やモビールのように少ない風力で揺らすような構成とする。
【００７２】
以上の構成よりなる本発明の光の装飾具１Ｂでは、図７に示すように、例えば、樹木の幹枝Ａに主幹体部２を巻付けるようにして取付けた後、余分な長さの主幹体部２はニッパー等の切断工具で切断する。
これにより、光の装飾具１Ｂは、結束具を使わずに容易に取付けることが可能となる。
【００７３】
更に、主幹体部２から分岐された従幹体部３の先端の装飾体４を、クリップ部（図示せず。）で小枝Ｂに挟むようにして固定する。
【００７４】
このようにして装飾体４が小枝Ｂの先端に固定されることで、装飾体４と幹枝Ａ及び小枝Ｂが相互に受ける風力結果として枝の弾力を利用した不規則、かつ自然な光の揺れを表現することが可能となる。
【００７５】
本発明の光の装飾具１Ｂでは、例えば、商業施設や駅周辺などの繁華街などの街路樹に取付けることで、日中では装飾体の反射面に太陽光が反射することでイルミネーション効果を実現することが可能となる。
【００７６】
また、例えば、ＬＥＤ灯によるイルミネーションが取付けられた街路樹に、本発明の光の装飾具を取付け、装飾体がＬＥＤ灯に対面する位置となるように従幹体部を変形させることが可能となる。
【００７７】
これにより、ＬＥＤ灯からの光が反射面で反射することで反射面が擬似発光することになり、夜間のＬＥＤ灯によるイルミネーション効果を増大させることが可能となる。その結果、ＬＥＤ灯の使用量を大幅に減少させることができる。
【００７８】
なお、装飾体が透光面を有する場合には、日中では太陽光が装飾体を透過することで自然界の葉っぱに摸した光の演出が可能となり、夜間では、例えばＬＥＤ灯により光が装飾体を透過することで光の反射とは違った人工的な光の演出が可能となる。
【００７９】
また、装飾体が蓄光面を有する場合には、外部からの光を蓄光面で受光しながら発光することで幻想的なイルミネーション効果を発揮することが可能となる。
【００８０】
＜第３の実施の形態＞
図８は本発明を適用した光の装飾具の更に他の例を説明するための模式図である。
【００８１】
ここで示す光の装飾具１Ｃは、電源が供給可能とされる導電部材としての電源コード１３と、この電源コード１３に沿って適宜間隔ごとに発光体としてのＬＥＤ灯１２が接続されている。
【００８２】
次に、電源コード１３に配置されたＬＥＤ灯１２との間に、これらのＬＥＤ灯１２と対向する位置に変形された姿勢を保持可能な従幹体部３Ｂが電源コード１３に分技状に取付けられた構成とされている。
【００８３】
更に、従幹体部３Ｂに、平面形状とされ、かつ少なくとも一面が反射面５、透光面（図示せず。）、あるいは蓄光面（図示せず。）を有する装飾体４Ｃが接続された構成とされている。
【００８４】
ここで、従幹体部３Ｂは、その基端に設けられた環状の締結バンド１５で複数本の電源コード１３を巻着することで分岐状に取付けることが可能となる。
更に、従幹体部３Ｂは、塑性変形を有する針金等の金属製で形成されることで任意の方向へ変形させて、その姿勢を保持することが可能となる。
【００８５】
以上の構成より本発明の光の装飾具１Ｃでは、電源コード１３を、例えば、樹木の幹枝（図示せず。）に沿って結束バンド（図示せず。）等で取付ける。
【００８６】
このようにして電源コード１３を取付けた後に、従幹体部３Ｂの先端に接続された装飾体４Ｃの反射面５がＬＥＤ灯１２に向くように角度調整を行う。
【００８７】
これにより、例えば、ＬＥＤ灯からの光、あるいは太陽光が反射することで反射面５が擬似発光することになる。
【００８８】
また、装飾体が透光面を有する場合には、日中では太陽光が装飾体を透過することで自然界の葉っぱに摸した光の演出が可能となり、夜間では、例えばＬＥＤ灯により光が装飾体を透過することで光の反射とは違った人工的な光の演出が可能となる。
【００８９】
また、装飾体が蓄光面を有する場合には、外部からの光を蓄光面で受光しながら発光することで幻想的なイルミネーション効果を発揮することが可能となる。
【００９０】
本発明の装飾具では、装飾体とＬＥＤ灯とを併用することでＬＥＤ灯の使用量を大幅に減少させることができ、その結果、電気料金の大幅なコストカットが可能となる。
更に、電源コードに装飾体が一体的に取付けられているために、被装飾体に電源コードを取付けることで取付け作業が完了する。これにより、作業の効率化を図ることが可能となる。
【００９１】
なお、＜第１の実施の形態＞、＜第１の実施の他の形態＞、＜第２の実施の形態＞、あるいは＜第３の実施の形態＞では、装飾体に反射面を有する場合のみ詳述するものであるが、＜第１の実施の形態における装飾体の変形例＞及び＜第１の実施の形態における装飾体の他の変形例＞において詳述したように装飾体に透光面、あるいは蓄光面を有する場合があることは勿論のことである。
【００９２】
＜第４の実施の形態＞
図９は本発明を適用した光の装飾具を使用した街路樹の装飾方法の一例を説明するための模式図である。
【００９３】
ここで、例えば、樹木Ｃの幹枝Ａに沿って発光体としてのＬＥＤ灯１２が接続された電源コード１３を結束バンド１４で取付ける。
【００９４】
この電源コード１３には、その全長に沿ってＬＥＤ灯１２が分岐状に接続されており、各幹枝Ａに電源コード１３を取付けることで、樹木Ｃの幹枝Ａに沿ってＬＥＤ灯１２が配置されることになる。
【００９５】
次に、本発明を適用した光の装飾具１の主幹体部２を樹木Ｃの幹枝Ａの全長に沿って、各ＬＥＤ灯１２との間に装飾具１の従幹体部３を配置するように巻付けながら取付ける。
この場合に、余分な長さの主幹体部２はニッパー等の切断工具で切断する。
これにより、装飾具１は、結束具を使わずに容易に取付けることが可能となる。
【００９６】
更に、従幹体部３の先端に接続された平面形状とされ、かつ少なくとも一面が反射面（図示せず。）、透光面（図示せず。）、あるいは蓄光面（図示せず。）を有する装飾体４の反射面５、透光面、あるいは蓄光面をＬＥＤ灯１２に向くように角度調整を行う。
【００９７】
以上の構成よりなる本発明の装飾方法では、幹枝Ａに主幹体部２の塑性変形性を利用して巻付けることで結束具を使わずに容易に取付けることが可能となる。
【００９８】
ここで、装飾体４が反射面（図示せず。）を有する場合には、夜間においてＬＥＤ灯１２の点灯時には、装飾体４の反射面（図示せず。）にＬＥＤ灯１２から照射される光が反射して、あたかも装飾体４面が発光したように演出することが可能となる。
【００９９】
また、昼間においては、装飾体４の反射面（図示せず。）に太陽光が反射すると共に、風力抵抗により物理的、かつ自然な光の動きを表現することが可能となる。
【０１００】
また、装飾体４が透光面（図示せず。）を有する場合には、日中では太陽光が装飾体４を透過することで自然界の葉っぱに摸した光の演出が可能となり、夜間では、例えばＬＥＤ灯により光が装飾体を透過することで光の反射とは違った人工的な光の演出が可能となる。
【０１０１】
また、装飾体４が蓄光面（図示せず。）を有する場合には、外部からの光を蓄光面で受光しながら発光することで幻想的なイルミネーション効果を発揮することが可能となる。
【０１０２】
以上のように、本発明の装飾方法では、ＬＥＤ灯イルミネーションと本発明を適用した装飾具とを併用することでＬＥＤ灯の使用量を大幅に減少させることができ、その結果、電気料金の大幅なコストカットが可能となる。
【０１０３】
また、商業施設や駅周辺などの繁華街では夜間以上に昼間の方が商活動は活発であるという現状から、日中では装飾体の反射面に太陽光が反射する、あるいは透過することでイルミネーション効果を実現することが可能となる。
【０１０４】
なお、＜第４の実施の形態＞では樹木にＬＥＤ灯イルミネーションを取付けた後に、本発明を適用した光の装飾具を取付けるものであるが、必ずしもＬＥＤ灯イルミネーションを取付けた後に取付ける必要性はない。
【０１０５】
例えば、本発明を適用した光の装飾具を取付けた後に、ＬＥＤ灯イルミネーションを取付けてもよい。
【０１０６】
＜第５の実施の形態＞
図１０は本発明を適用した光の装飾具を使用した街路樹の装飾方法の他の例を説明するための模式図である。
【０１０７】
ここで、例えば、樹木の幹枝Ａに沿って本発明を適用した光の装飾具１ＣのＬＥＤ灯１２が適宜間隔ごとに接続された線状の導電部材としての電源コード１３を結束バンド１４で取付ける。
【０１０８】
次に、電源コード１３にＬＥＤ灯１２と対向する位置に分岐状に取付けられ、かつ、変形された姿勢を保持可能な線状の従幹体部３Ｂを、ＬＥＤ灯１２の配置方向となる姿勢に変形する。
【０１０９】
更に、従幹体部３Ｂの先端に接続された平面形状とされ、かつ少なくとも一面が反射面５、透光面（図示せず。）、あるいは蓄光面（図示せず。）を有する装飾体４Ｃの反射面５、透光面、あるいは蓄光面をＬＥＤ灯１２に向くように角度調整を行う。
【０１１０】
以上の構成よりなる本発明の装飾方法では、装飾体４Ｃが反射面５を有する場合には、夜間においてＬＥＤ灯１２の点灯時には、装飾体４の反射面５にＬＥＤ灯１２から照射される光が反射して、あたかも装飾体４Ｃ面が発光したように演出することが可能となる。
【０１１１】
また、昼間においては、装飾体４Ｃの反射面５に太陽光が反射すると共に、風力抵抗により物理的、かつ自然な光の動きを演出することが可能となる。
【０１１２】
また、装飾体４Ｃが透光面（図示せず。）を有する場合には、日中では太陽光が装飾体４Ｃを透過することで自然界の葉っぱに摸した光の演出が可能となり、夜間では、例えばＬＥＤ灯１２により光が装飾体４Ｃを透過することで光の反射とは違った人工的な光の演出が可能となる。
【０１１３】
また、装飾体４Ｃが蓄光面（図示せず。）を有する場合には、外部からの光を蓄光面で受光しながら発光することで幻想的なイルミネーション効果を発揮することが可能となる。
【０１１４】
以上のように、本発明の装飾方法では、ＬＥＤ灯と装飾体とを併用することでＬＥＤ灯の使用量を大幅に減少させることができ、その結果、電気料金の大幅なコストカットが可能となる。
【０１１５】
また、日中では装飾体の反射面に太陽光が反射する、あるいは透過することでイルミネーション効果を実現することが可能となる。
【０１１６】
また、＜第４の実施の形態＞及び＜第５の実施の形態＞では発光体の一例としてＬＥＤ灯によるイルミネーションについて詳述するものであるが、必ずしもＬＥＤ灯である必要性はない。
【０１１７】
例えば、ソケットに電球を取付けた構成の発光体であっても構わないが、寿命が長く、かつ消費電力を大幅に低減することができるＬＥＤ灯を用いることが望ましい。
【０１１８】
また、＜第１の実施の形態＞、＜第１の実施の形態における装飾体の変形例＞、＜第２の実施の形態＞、＜第３の実施の形態＞、＜第４の実施の形態＞及び＜第５の実施の形態＞における装飾体は、葉形状とするものであるが、必ずしもこのような形状とする必要性はない。
【０１１９】
例えば、花、星、月、太陽、雨、生物など平面形状であればあらゆる形状であっても構わない。
【０１２０】
更に、＜第１の実施の形態＞、＜第１の実施の形態における装飾体の変形例＞、＜第２の実施の形態＞、＜第３の実施の形態＞、＜第４の実施の形態＞及び＜第５の実施の形態＞における装飾体は、その表面が鏡面状とされるステンレス製板、あるいはアルミニウム製板とするものであるが、必ずしもステンレス製板、あるいはアルミニウム製板とする必要性はない。
【０１２１】
例えば、合成樹脂板の表面にアルミニウム箔を貼る、あるいは反射率の高い塗料を塗布した構成であっても構わない。
【０１２２】
また、＜第１の実施の形態＞、＜第１の実施の形態における装飾体の変形例＞、＜第２の実施の形態＞及び＜第４の実施の形態＞における主幹体部及び従幹体部は、塑性変形を有する針金等の金属製で形成するものであるが、必ずしも塑性変形を有する針金等の金属製で形成する必要性はない。
【０１２３】
例えば、塑性変形を有し、かつ、枝部等に巻付け可能な部材であればいかなる部材であっても構わない。
【０１２４】
また、＜第３の実施の形態＞及び＜第５の実施の形態＞における従幹体部は、塑性変形を有する針金等の金属製で形成するものであるが、必ずしも塑性変形を有する針金等の金属製で形成する必要性はない。
【０１２５】
例えば、塑性変形を有し、かつ、枝部等に巻付け可能な部材であればいかなる部材であっても構わない。
【符号の説明】
【０１２６】
１、１Ａ、１Ｂ、１Ｃ    光の装飾具
２、２Ａ          主幹体部
３、３Ａ、３Ｂ          従幹体部
４、４Ａ、４Ｂ、４Ｃ、４Ｄ    装飾体
５                反射面
６                蓄光面
７                クリップ部
８                第１の部材
９                第２の部材
１０              連結部
１１              弾性体
１２              ＬＥＤ灯
１３              電源コード
１４              結束バンド
１５              締結バンド
１６              透光面
【図１】
2015174422.tif 000003
【図２】
2015174422.tif 000004
【図３】
2015174422.tif 000005
【図４】
2015174422.tif 000006
【図５】
2015174422.tif 000007
【図６】
2015174422.tif 000008
【図７】
2015174422.tif 000009
【図８】
2015174422.tif 000010
【図９】
2015174422.tif 000011
【図１０】
2015174422.tif 000012
【図１１】
2015174422.tif 000013
【図１２】
2015174422.tif 000014